(57)【要約】【課題】板状建材の寸法変化によって壁面の意匠性及び雨水等の非浸透性が損なわれ難い板状建材用粘着テープ、板状建材施工構造及び板状建材の施工方法を提供する。【解決手段】下地材４１に複数枚の金属サンドイッチパネル２０を平面状に固定し、金属サンドイッチパネル２０の板間２０ａに硬化によって痩せない充填剤３０を充填する。この後、板間２０ａ上に板状建材用粘着テープ１を貼着し、塗り仕上げ材５０を塗布する。板状建材用粘着テープ１は、可撓性のある基材１１と、基材１１の表面側に設けられた表面層１２と、基材１１の裏面側に設けられた粘着層１３とからな。粘着層１３が表面層１２よりも大きな弾性を有している。【選択図】図１
2005213339.tif 000002
【特許請求の範囲】
【請求項１】
可撓性のある基材と、該基材の表面側に設けられた表面層と、該基材の裏面側に設けられた粘着層とからなり、板状建材の板間上に貼着される板状建材用粘着テープにおいて、
前記粘着層が前記表面層よりも大きな弾性を有することを特徴とする板状建材用粘着テープ。
【請求項２】
前記粘着層が最も厚いことを特徴とする請求項１記載の板状建材用粘着テープ。
【請求項３】
前記表面層が弾性を有することを特徴とする請求項１又は２記載の板状建材用粘着テープ。
【請求項４】
下地材に平面状に固定された複数枚の板状建材と、該板状建材の板間上に貼着される請求項１乃至３のいずれか１項記載の板状建材用粘着テープとを備えた板状建材施工構造において、
前記板間には硬化によって痩せない充填剤が充填されていることを特徴とする板状建材施工構造。
【請求項５】
前記板状建材は、表面を構成する金属製の第１板材と、裏面を構成する金属製の第２板材と、該第１板材と該第２板材との間に一体に設けられた断熱材とを有する金属サンドイッチパネルであることを特徴とする請求項４記載の板状建材施工構造。
【請求項６】
下地材に複数枚の板状建材を平面状に固定する第１工程と、
該板状建材の板間に硬化によって痩せない充填剤を充填する第２工程と、
該板間上に請求項１乃至３のいずれか１項記載の板状建材用粘着テープを貼着する第３工程とからなることを特徴とする板状建材の施工方法。
【請求項７】
前記板状建材は、表面を構成する金属製の第１板材と、裏面を構成する金属製の第２板材と、該第１板材と該第２板材との間に一体に設けられた断熱材とを有する金属サンドイッチパネルであることを特徴とする請求項６記載の板状建材の施工方法。
【発明の詳細な説明】
【技術分野】
【０００１】
本発明は、板状建材用粘着テープ、板状建材施工構造及び板状建材の施工方法に関する。
【背景技術】
【０００２】
一般的な壁面の施工方法として、図５に示すように、下地材９０に複数枚のサイディング等の板状建材９１を平面状に固定して被施工面を形成し、この被施工面に塗り仕上げ材８０を施して壁面を施工する方法が知られている。この一般的な施工方法では、板状建材９１の板間９１ａにエポキシ樹脂等のパテ９２を充填した後、その板間９１ａ上にシリコン樹脂等の弾性のあるシーリング９３を塗布し、シーリング９３上に伸縮性のない不織布９４を載せ、さらに同様のシーリング９５を塗布する。そして、シーリング９５の表面を含む被施工面全体に塗り仕上げ材８０を塗布し、壁面が構成される。こうして構成された壁面は、板間９１ａが外部から目立たないようにされて意匠性が高められているとともに、雨水等の浸透が防止されることとなる。
【０００３】
しかし、上記施工方法は、個々の材料を用意し、板状建材９１の板間９１ａにそれらを施さなければならず、面倒であるとともに施工に日数を要してしまう。このため、特許文献１に板状建材用粘着テープが提案されている。この板状建材用粘着テープは、図４に示すように、不織布等の可撓性のある基材９６と、この基材９６の表面側に設けられたアクリル酸メチル等の表面層９７と、基材９６の裏面側に設けられたゴム系の粘着層９８とからなる。
【０００４】
この板状建材用粘着テープは板状建材９１の板間９１ａ上に貼着される。こうして板状建材施工構造が構成される。そして、板状建材用粘着テープを含む被施工面全体に塗り仕上げ材８０を塗布し、壁面が構成される。この板状建材用粘着テープを用いれば、個々の材料を用意してそれらを板状建材９１の板間９１ａに施す必要がなくなるため、簡易に上記作用効果が得られることとなる。
【０００５】
【特許文献１】特開２０００−１６９８１０号公報
【発明の開示】
【発明が解決しようとする課題】
【０００６】
しかしながら、上記従来の板状建材用粘着テープを用いた壁面では、板状建材の寸法変化を板状建材用粘着テープの中央で吸収し難く、板状建材用粘着テープの両端に応力が集中してその位置の塗り仕上げ材にクラックを生じやすいことが明らかとなった。特に、板状建材が金属製の板材を表面に有するものである場合には、板状建材の寸法変化が大きいことから、この傾向が顕著である。こうして塗り仕上げ材にクラックが生じてしまうと、壁面の意匠性及び雨水等の非浸透性も損なわれてしまう。
【０００７】
本発明は、上記従来の実情に鑑みてなされたものであって、板状建材の寸法変化によって壁面の意匠性及び雨水等の非浸透性が損なわれ難い板状建材用粘着テープ、板状建材施工構造及び板状建材の施工方法を提供することを解決すべき課題としている。
【課題を解決するための手段】
【０００８】
発明者らは上記課題解決のために鋭意研究し、表面層よりも粘着層で大きな弾性をもたせることが課題解決のために有効であることを発見した。上記従来の板状建材用粘着テープは、粘着層が薄くて十分な弾性を有しておらず、表面層が弾性を有することにより板状建材の熱膨張及び熱収縮を吸収することとしていたため、板状建材の寸法変化を板状建材用粘着テープの中央で吸収し難く、板状建材用粘着テープの両端の塗り仕上げ材にクラックを生じやすかったのである。
【０００９】
本発明の板状建材用粘着テープは、可撓性のある基材と、該基材の表面側に設けられた表面層と、該基材の裏面側に設けられた粘着層とからなり、板状建材の板間上に貼着される板状建材用粘着テープにおいて、
前記粘着層が前記表面層よりも大きな弾性を有することを特徴とする。
【００１０】
本発明の板状建材用粘着テープは粘着層が表面層よりも大きな弾性を有するため、板状建材の寸法が変化した場合、その寸法変化を板状建材に最も近い粘着層で吸収し、基材や表面層までその寸法変化を及ぼさない。こうして、この板状建材用粘着テープでは、寸法変化を板状建材用粘着テープの中央で吸収し、板状建材用粘着テープの両端の塗り仕上げ材にクラックを生じ難いのである。
【００１１】
したがって、この板状建材用粘着テープを用いれば、板状建材の寸法変化によって壁面の意匠性及び雨水等の非浸透性が損なわれ難いのである。
【００１２】
基材は可撓性のあるものである。基材としては、不織布、織布、編布等の布、和紙、洋紙等の抄造紙等を採用することができる。基材を構成する繊維としては、特に限定されず、例えば、ポリウレタン、ポリプロピレン、ポリエステル、レーヨン、ポリアミド等の化学繊維やパルプ、セルロース等の天然繊維を採用することができる。
【００１３】
表面層は基材の表面側に設けられるものである。表面層としては、アクリル、ポリプロピレン、ポリエステル、レーヨン、ポリアミド等の合成樹脂の他、ウレタンゴム、シリコーンゴム、ブチルゴム等の弾性のある合成樹脂を採用することができる。表面層の上に塗り仕上げ材を塗布する場合には、塗り仕上げ材と結合しやすい材質を表面層として選択する。
【００１４】
本発明の板状建材用粘着テープは、表面層が弾性を有することも好ましい。こうであれば、塗り仕上げ材の寸法変化も吸収し、壁面の意匠性及び雨水等の非浸透性をより高く維持することができる。
【００１５】
粘着層は基材の裏面側に設けられるものである。粘着層としては、ウレタンゴム、シリコーンゴム、ブチルゴム等を採用することができる。
【００１６】
基材、表面層及び粘着層のうち、粘着層が最も厚いことが好ましい。この場合、板状建材の寸法変化が大きくても、厚い粘着層がその寸法変化を確実に吸収することから、本発明の効果をより確実に奏することができる。
【００１７】
本発明の板状建材施工構造は、下地材に平面状に固定された複数枚の板状建材と、該板状建材の板間上に貼着される請求項１乃至３のいずれか１項記載の板状建材用粘着テープとを備えた板状建材施工構造において、
前記板間には硬化によって痩せない充填剤が充填されていることを特徴とする。
【００１８】
本発明の板状建材の施工方法は、下地材に複数枚の板状建材を平面状に固定する第１工程と、
該板状建材の板間に硬化によって痩せない充填剤を充填する第２工程と、
該板間上に請求項１乃至３のいずれか１項記載の板状建材用粘着テープを貼着する第３工程とからなることを特徴とする。
【００１９】
本発明の板状建材施工構造及び本発明の施工方法によって得られる板状建材施工構造は、上記本発明の板状建材用粘着テープを備えているため、上記本発明の作用効果を奏する。特に、この板状建材施工構造は、板間に硬化によって痩せない充填剤が充填されているため、板間の隙間が無くされており、ひけも生じない。
【００２０】
硬化によって痩せない充填剤としては、エポキシ樹脂、アクリルエマルジョン等、空気との反応によって硬化する合成樹脂を採用することができる。
【００２１】
板状建材は、表面を構成する金属製の第１板材と、裏面を構成する金属製の第２板材と、第１板材と第２板材との間に一体に設けられた断熱材とを有する金属サンドイッチパネルであることが好ましい。この板状建材を用いれば、外断熱が可能な壁面を容易に施工することができる。この板状建材は、金属製の板材を表面に有するものであるため、寸法変化が大きいのであるが、本発明はこの板状建材に対しても有効に作用効果を奏することができる。
【発明を実施するための最良の形態】
【００２２】
以下、本発明を具体化した実施例１、２を図面を参照しつつ説明する。
【実施例１】
【００２３】
図１に示すように、本発明の板状建材用粘着テープ１は、不織布からなる可撓性のある基材１１と、この基材１１の表面側に設けられたウレタンゴムからなる表面層１２と、基材１１の裏面側に設けられたブチルゴムからなる粘着層１３とからなる。
【００２４】
基材１１の厚みは約０．１ｍｍ、表面層１２の厚みは約０．１ｍｍであるが、粘着層１３の厚みは０．３ｍｍであり、粘着層１３が最も厚く、粘着層１３が表面層１２よりも大きな弾性を有している。
【００２５】
この板状建材用粘着テープ１を用いて壁面を構成する。まず、板状建材としての金属サンドイッチパネル２０を用意する。この金属サンドイッチパネル２０は、表面を構成する金属製の第１板材２１と、裏面を構成する金属製の第２板材２２と、第１板材２１と第２板材２２との間に一体に設けられた発泡ポリウレタンフォームからなる断熱材２３とを有している。
【００２６】
この金属サンドイッチパネル２０を用いて塗り仕上げ材５０からなる壁面を施工する場合、まず、図２に示すように、下地材としての木材からなる支柱４１に透湿防水シート４２を介してビス４３により複数枚の金属サンドイッチパネル２０を平面状に固定し、金属サンドイッチパネル２０の表面からなる被施工面を形成する。
【００２７】
そして、図１に示すように、金属サンドイッチパネル２０の板間２０ａにエポキシ樹脂からなる充填剤３０を充填する。この後、板間２０ａ上に板状建材用粘着テープ１を通しで貼着する。こうして板状建材施工構造が構成される。そして、図２にも示すように、板状建材用粘着テープ１を含む被施工面全体に塗り仕上げ材５０のうちの下塗り５０ａを塗布し、さらに下塗り５０ａに塗り仕上げ材５０のうちの上塗り５０ｂを塗布し、壁面が構成される。この塗り仕上げ材３０は主成分がアクリルエマルジョンである。
【００２８】
こうして構成された壁面は、板間２０ａが外部から目立たないようにされて意匠性が高められているとともに、雨水等の浸透が防止されることとなる。また、この板状建材用粘着テープ１を用いることにより、個々の材料を用意してそれらを金属サンドイッチパネル２０の板間２０ａに施す必要がなくなるため、安価でありながら優れた作業性を発揮することができるとともに、作業に熟練も要しない。
【００２９】
そして、板状建材用粘着テープ１は粘着層１３が表面層１２よりも大きな弾性を有するため、金属サンドイッチパネル２０の寸法が変化した場合、その寸法変化を金属サンドイッチパネル２０の第１板材２１に最も近い粘着層１３で吸収し、基材１１や表面層１２までその寸法変化を及ぼさない。こうして、この板状建材用粘着テープ１では、寸法変化を板状建材用粘着テープ１の中央で吸収し、板状建材用粘着テープ１の両端の塗り仕上げ材５０にクラックを生じ難いのである。
【００３０】
したがって、この板状建材用粘着テープ１を用いれば、金属サンドイッチパネル２０の寸法変化によって壁面の意匠性及び雨水等の非浸透性が損なわれ難いのである。また、この板状建材用粘着テープ１は、表面層１２も弾性を有するため、塗り仕上げ材５０の寸法変化も吸収し、壁面の意匠性及び雨水等の非浸透性をより高く維持することができる。
【００３１】
また、こうして得られる壁面は、断熱材２３を有する金属サンドイッチパネル２０を用いていることから、外断熱が可能である。そして、板間２０ａに硬化によって痩せない充填剤３０が充填されてため、板間２０ａの隙間が無くされ、ひけも生じない。また、板状建材用粘着テープ１の粘着層１３が高粘性を有しているため、壁面の防水性が上がる。
【実施例２】
【００３２】
実施例２では、経年変化で表面にチョーキングの劣化やシーリングのひび割れが発生している既存のサイディングの改修方法に本発明を具体化している。
【００３３】
図３に示すように、まず、下地材としての支柱４４、４５に透湿防水シート４２を介してビス４３により平面状に固定された既存のサイディング６０の全面又は一部にプライマー６１を塗布する。このプライマー６１は、サイディング６０の粉末化した塗膜を溶解して健全化する。このプライマー６１は、一液で速乾性を有し、作業性の観点から粘度の低いものである。例えば、シリコン樹脂酢酸エチル系、ウレタン樹脂酢酸エチル系、ウレタン樹脂キシレン系、エポキシ樹脂酢酸エチル系、エポキシ樹脂トルエン系のプライマー６１が好適である。
【００３４】
そして、サイディング６０の板間６０ａに図示しないシーリングを充填し、板間６０ａ上に板状建材用粘着テープ１を通しで貼着する。こうして板状建材施工構造が構成される。この後、板状建材用粘着テープ１を含む被施工面全体に塗り仕上げ材５０のうちの下塗り５０ａを塗布し、さらに下塗り５０ａに塗り仕上げ材５０のうちの上塗り５０ｂを塗布し、壁面が構成される。
【００３５】
この施工方法においても実施例１と同様の作用効果を奏することができる。特に、この施工方法では、サイディング６０を張り替えることなく、大きな模様替えが可能になっている。
【００３６】
なお、この板状建材用粘着テープ１は、金属製の出隅カバー等の異種材料取り合い部や挙動の大きい出入り隅部に用いることもできる。この場合、そのまま塗り仕上げ材５０を塗布しても、板状建材用粘着テープ１の粘着層１３が大きな弾性を有することから、その位置の塗り仕上げ材５０にもクラックが生じ難い。
【産業上の利用可能性】
【００３７】
本発明は、外壁、内壁、床又は天井を施工する場合に利用可能である。
【図面の簡単な説明】
【００３８】
【図１】実施例１に係る壁面の模式断面図である。
【図２】実施例１に係る壁面の模式斜視図である。
【図３】実施例２に係る壁面の模式斜視図である。
【図４】従来例の壁面の模式断面図である。
【図５】他の従来例の壁面の模式断面図である。
【符号の説明】
【００３９】
１…板状建材用粘着テープ
１１…基材
１２…表面層
１３…粘着層
２０…板状建材、金属サンドイッチパネル
２１…第１板材
２２…第２板材
２３…断熱材
３０…充填剤
【図１】
2005213339.tif 000003
【図２】
2005213339.tif 000004
【図３】
2005213339.tif 000005
【図４】
2005213339.tif 000006
【図５】
2005213339.tif 000007